(57)【要約】  本発明は、学校で生徒達が主に使用する机・椅子に関し、より詳しくは、個々人の身体的条件に適するように簡便に調節して使用することができる机・椅子の高低調節装置に関する。  本発明の机・椅子の高低調節装置は、机・椅子の下部支柱と上部支柱との間に机・椅子の高低が調節できるように高低調節装置を固定設置し、かつ、前記高低調節装置は机・椅子の上部支柱から下部支柱に貫通されて高低調節装置と結合するように構成し、前記下部支柱の外側に目盛表示分が穿孔されて、前記下部支柱に突出した前記高低調節装置を回転調節して前記上部支柱に表示された目盛が、前記目盛表示部の穿孔の内に一致するようにして高低を楽に合せることができるように形成したものである。
2008519644.tif 000002
【特許請求の範囲】
【請求項１】
机・椅子の下部支柱と上部支柱との間に机・椅子の高低が調節できるように調節装置を構成する机・椅子の高低調節装置であって、
前記上部支柱はその端部にねじを形成した昇降部材と結合され、
前記調節装置は昇降部材とねじ結合され、回転により昇降部材を上昇、下降させる回転部材を形成し、
前記下部支柱は前記回転部材を挿入するように開口部を形成し、
前記回転部材は回転部材の外周面の軸方向に凹凸部材を一定間隔で形成し、
前記開口部の蓋を形成し、前記蓋は所定の蓋孔を形成し、
前記蓋孔で回転部材が所定の位置まで突出するように形成してなされることを特徴とする机・椅子の高低調節装置。
【請求項２】
前記上部支柱と下部支柱の断面が円形であることを特徴とする請求項１記載の机・椅子の高低調節装置。
【請求項３】
前記蓋は断面が半円形状であることを特徴とする請求項１または２記載の机・椅子の高低調節装置。
【請求項４】
前記蓋は、内側面に半円形状の支持部材が形成されたことを特徴とする請求項３記載の机・椅子の高低調節装置。
【請求項５】
前記上部支柱と下部支柱の断面は対向する面が長円形であることを特徴とする請求項１記載の机・椅子の高低調節装置。
【請求項６】
前記蓋は断面が四角形であることを特徴とする請求項１または５記載の机・椅子の高低調節装置。
【請求項７】
前記蓋は、内側面に四角形状の支持部材が形成されたことを特徴とする請求項５記載の机・椅子の高低調節装置。
【請求項８】
前記回転部材は、前記昇降部材の一定の昇降、下降ができるように、前記回転部材の外周面の上部に一定間隔で表示し、前記下部支柱の一側に所定の目盛表示部を通じて前記目盛を確認することを特徴とする請求項１記載の机・椅子の高低調節装置。
【請求項９】
前記回転部材には、外側丸い縁の軸方向に凹凸部が一定間隔で形成されたことを特徴とする請求項１記載の机・椅子の高低調節装置。
【請求項１０】
前記回転部材は、内側にねじが形成されたことを特徴とする請求項９記載の机・椅子の高低調節装置。
【請求項１１】
前記回転部材は、前記蓋孔の外部に突出したことを特徴とする請求項１記載の机・椅子の高低調節装置。
【発明の詳細な説明】
【技術分野】
【０００１】
本発明は、机や椅子の脚の高低を調節する机・椅子の高低調節装置に関し、より詳しくは、小学生や中・高校生が使用する机と椅子の脚の高低を容易に調節することができ、机と椅子の脚の高低が調節された状態そのまま堅く支持固定できるようにした改善された形態の机・椅子の高低調節装置に関する。
【背景技術】
【０００２】
一般に、成長期にいる小学生や中・高校生達は１学年ずつ進級する度に成長速度が非常に速くて各自の体形に好適な机と椅子を配定受けることが困難である。
【０００３】
机と椅子は成長期にいる生徒達の体形を維持することに決定的な役割をするものであって、長時間座って授業を受ける生徒達は自らの体形に好適な机と椅子が配定されなくて、長期間座って生活する生徒達の脊椎が曲がったり成長速度が鈍化する等、人体に悪影響を及ぼすということは広く知られている事実である。
【０００４】
西欧化した飲食文化の発達によって、生徒達の成長速度と体形が急激に変化している実状であるが、机と椅子は大部分が７０〜８０年代に普及したものであって、成長速度の速い生徒達の体形に追い付かないので、教育環境が非常に劣悪になっている実状である。
【０００５】
既存の普及された机は、机の座台に少なくとも一組以上の支柱を立設し、支柱の上端に机板を固定したものであって、机板の高低調整が不可能であるように一体固定されているので、生徒が希望する各自の体形に適するように机の高低を全く調整できない短所があった。
【０００６】
図１及び図２は、前記のような問題点を改善するための方法であって、従来技術に係る机・椅子の高さ調節装置の構成図であって、机・椅子の高低が調節できるように、机・椅子の下部支柱と上部支柱との間に机・椅子の高低が調節できるように高低調節具１を固定設置し、かつ、前記高低調節具１は机・椅子の下部支柱２０の上端に挿入固定される調節具本体２と前記調節具本体の上端リブ４に挿入されて調節具本体２を固定させる上部キャップ３と前記調節具本体２の上端外周縁にヒンジ６により軸着されて机・椅子の高低を調節する回動レバー５から構成され、前記回動レバー５の上端には下部支柱６２を貫通し上部支柱６０を固定させる調節具７と、高低が調節された状態で回動レバー５を横に倒すことができないように抑制させる突出段８を形成してなることを特徴とした。
【０００７】
前記のような形態の組立式机・椅子及び高低調節装置は従来の生徒達に普及されていた机及び椅子に比べて格段に優れる性能を有しているので、多い好評を受けているが、長い間使用すればその荷重により固定部位が弱くなり、回動レバーが故障になりやすくて、回動レバーが故障になれば使用が困難であるという問題点があった。
【発明の開示】
【発明が解決しようとする課題】
【０００８】
ここに、本発明では、従来技術に係る問題点を改善するために、下部支柱の下端の側面にナット形態の回転部材を結合して、上部支柱の下端面にねじを備えた昇降部材を回転部材に結合し、回転部材の回転の際、上部支柱が昇降するようにするので、長い間使用しても荷重による耐久性があり、故障しにくい机・椅子の高低調節装置を提供することをその目的とする。
【課題を解決するための手段】
【０００９】
前記目的を達成するための本発明に係る机・椅子の高低調節装置は、机・椅子の下部支柱と上部支柱との間に机・椅子の高低が調節できるように調節装置を構成する机・椅子の高低調節装置であって、前記上部支柱はその終端部にねじを形成した昇降部材と結合され、前記調節装置は昇降部材とねじ結合され、回転によって昇降部材を上昇、下降させる回転部材を形成し、前記下部支柱は前記回転部材を挿入するように開口部を形成し、前記回転部材は回転部材の外周面の軸方向に凹凸部材を一定間隔で形成して、前記開口部の蓋を形成し、前記蓋は所定の蓋孔を形成して、前記蓋孔で回転部材が所定の位置まで突出するように形成してなることを特徴とする。
【発明の効果】
【００１０】
本発明に係る机・椅子の高低調節装置によれば、回転部材により上下移動自在にして、精密に水平調節可能であるので、身長に合う机の購入にかかる費用が低減でき、荷重による耐久度が強化されて、瞬間的に机板が下降しなくて、安全度が高い効果がある。
【００１１】
また、使用者が簡便に操作できる調節装置としての効用性を向上することができる。
【発明を実施するための最良の形態】
【００１２】
本発明の机・椅子の高低調節装置は、図３に示すように、四角形で形成されている机板５０と前記机板５０の下側の両側に上部支柱６０が一対で構成されており、前記上部支柱６０は下部支柱７０と貫通結合されており、下部支柱７０の下端面に支持台９５が形成されている。
【００１３】
また、前記上部支柱６０の両側面に菱形状で目盛６１が表記されており、前記下部支柱７０の両側面に菱形状で穿孔された目盛表示部７２が形成されており、前記目盛６１の目盛は前記下部支柱７０の一側に結合されている机・椅子の高低調節装置８０に一定間隔で寸法を表示して回転の際、上昇または下降し、前記目盛表示部７２を通じて目盛６１を確認して精密に位置を調節することができる。
【００１４】
前記机・椅子の高低調節装置８０は、前記目盛表示部７２の下端に机・椅子の高低調節装置８０が両側に設けられている。
【００１５】
図４は、図３の上部支柱６０と下部支柱７０の部分拡大図である。
【００１６】
両側面が半円形状をなしている上部支柱６０と、上部支柱６０の下端面に昇降部材６２が形成されており、昇降部材は所定のねじを具備した形状をなしており、前記上部支柱６０と下部支柱７０の断面が長円状であり、前記下部支柱７０の上端面が前記上部支柱６０と前記昇降部材６２が貫通できるように吐出されている下部支柱貫通ホール７１が形成されている。
【００１７】
また、前記下部支柱７０の下端の両側に四角形状の開口部７３が開口されており、前記開口部７３に回転部材９０が挿入され、前記挿入された回転部材９０は第１、第２蓋８５、８６が固定させて結合する。
【００１８】
また、前記蓋の中央に所定大きさの蓋孔８８が四角形状で形成されており、前記蓋孔８８に回転部材９０が所定の位置まで突出形成されている。
【００１９】
また、前記蓋の内側面の上端と下端に第１、第２支持部材８３、８４が半円形状をなして形成されており、前記蓋孔８８の隅部分で所定の位置まで離隔して締結孔８７が形成されている。
【００２０】
また、前記回転部材９０は、前記第１、第２支持部材８３、８４間に円柱形状の回転部材９０が密着結合されており、前記回転部材９０の外側の丸い縁に軸方向に凹凸部が一定間隔で形成されているので、使用者にグリップ感が提供できるように形成されており、前記回転部材９０の上側に前記第１、第２支持部材８３、８４と密着結合して回転できる円柱形状の回転ガイド８１が形成されており、前記回転ガイド８１の中央に前記昇降部材６２を移動させることができる昇降ロード８２が形成されており、前記昇降ロード８２は内側面に前記昇降部材６２と対等な所定のねじをなしている。
【００２１】
図５は、図３のＡ−Ａの断面図であって、下部支柱７０の開口部７３に回転部材９０が挿入され、回転部材９０の中央に所定大きさの回転ガイド８１と回転ガイドの外周縁に第１、第２支持部材８３、８４が形成されており、前記支持部材を覆う第１、第２蓋８５、８６が形成されており、前記第１、第２支持部材８３、８４と第１、第２蓋８５、８６は、前記第１蓋８５の締結孔８７によりボルト８９締結される。前記ボルト８９は前記第１蓋８５から前記第２支持部材８４の中央位置まで締結される、前記回転部材９０は、図４に図示された蓋孔８８の外側に所定の位置まで突出形成されている。
【００２２】
前記下部支柱７０は、昇降部材６２間に机・椅子の高低調節装置８０が調節できるように一対からなる前記下部支柱７０の一側面に各々設け、前記下部支柱６２に目盛表示部６２ａを設けて使用者が一対からなる高低調節装置８０を用いて前記目盛表示部７２に希望する高さまで前記回転部材９０の上側周りに一定間隔で寸法を表示して、回転時に上昇または下降して前記目盛表示部７２を通じて目盛６１を確認して精密に位置を調節することができる。
【００２３】
前記目盛表示部７２は、下部支柱７０の側面に所定の菱形状で開口されて形成されており、上部支柱６０の側面に目盛表示部７２の開口された位置に目盛６１が設けられている。
【００２４】
本発明の他の実施例であって、図６ 及び図７は、下部支柱７０の一側に開口部７３が形成されており、第１蓋１８５の上側に一方が開口された四角形状の第１支持部材１８３と前記第１蓋１８５の下側に四角形状の第２支持部材１８４が形成されており、前記第２支持部材１８４の側壁の中央に所定の締結孔（図示していない）が形成されており、前記第２支持部材１８４は、前記下部支柱の開口部７３の対応する一側にボルト８９ａ結合可能にボルト孔（図示していない）が形成されており、調節装置８０を開口部７３に挿入結合し、前記ボルト孔にボルト８９ａ結合する。
【００２５】
また、第１蓋１８５の両側に前記下部支柱７０と結合可能に締結孔８７を少なくとも１つ以上で形成し、下部支柱７０の側面にボルト８９結合する。
【００２６】
前記第１、第２支持部材１８３、１８４間に回転部材９０が結合されている。
【００２７】
図８は本発明の他の実施例であって、上部支柱２６０と下部支柱２７０が円筒形であり、下部支柱２７０の下端の一側に開口部２７３が一対で対応されて開口されており、前記開口部２７３に回転部材９０が挿入され、前記挿入された回転部材９０は、第１、第２蓋２８５、２８６が固定させて結合する。
【００２８】
前記第１、第２蓋２８５、２８６の断面が半円形状であり、前記第１、第２蓋２８５、２８６の側面に蓋孔２８８が形成されており、前記第１、第２蓋２８５、２８６の内側の上下面に第１、第２支持部材２８３、２８４が中央が切断されたリング形態で形成されている。
【００２９】
前記第１、第２支持部材２８３、２８４は、前記回転部材９０の回転ガイド８１と密着させ、第１蓋２８５の締結孔８７にボルト８９を締結して結合されいる。
【００３０】
以上、本発明を本発明の原理を例示するための好ましい実施形態と関連して説明し図示したが、本発明はそのように図示され説明されたそのままの構成及び作用に限らない。むしろ、添付した請求範囲の思想及び範疇から外れなく、本発明に対する多数の変更及び修正が可能であることを当業者はよく理解できるはずである。したがって、そのような全ての適切な変更及び修正と均等物も本発明の範囲に属するものと見なされるべきである。
【図面の簡単な説明】
【００３１】
【図１】従来技術に係る机・椅子の高低調節装置の斜視図である。
【図２】従来技術に係る机・椅子の高低調節装置の拡大図である。
【図３】本発明に係る机・椅子の高低調節装置の斜視図である。
【図４】本発明に係る机・椅子の高低調節装置の拡大図である。
【図５】本発明に係る机・椅子の高低調節装置の断面図である。
【図６】本発明に係る机・椅子の高低調節装置の他の実施形態である。
【図７】本発明に係る机・椅子の高低調節装置の他の実施形態である。
【図８】本発明に係る机・椅子の高低調節装置の他の実施形態である。
【符号の説明】
【００３２】
５０    机板
６０、２６０    上部支柱
６１、２６１    目盛
６２、２６２    昇降部材
７１    下部支柱貫通ホール
７０、２７０    下部支柱
７２、２７２    目盛表示部
８２    昇降ロード
８１    回転ガイド
８３、１８３、２８３    第１支持部材
８４、１８４、２８４    第２支持部材
８５、１８５、２８５    第１蓋
８６、２８６    第２蓋
８７    締結孔
８８、２８８    蓋孔
８９、８９ａ    ボルト
９０    回転部材
９５    支持台
【図１】
2008519644.tif 000003
【図２】
2008519644.tif 000004
【図３】
2008519644.tif 000005
【図４】
2008519644.tif 000006
【図５】
2008519644.tif 000007
【図６】
2008519644.tif 000008
【図７】
2008519644.tif 000009
【図８】
2008519644.tif 000010
【国際調査報告】
2008519644.tif 000011
2008519644.tif 000012